(57)【要約】【課題】相手先に画像データを送信しながら、ユーザが任意に指定したテキストデータを送信することができるファクシミリ装置を提供すること。【解決手段】ＳＩＰにより確立したメディアセッションで画像データを送信する画像データ送信手段と、送信すべきテキストデータを指定するテキストデータ指定手段と、指定されたテキストデータをＳＩＰメソッドにより送信するテキストデータ送信手段と、を備えるファクシミリ装置１Ａ、１Ｂ。【選択図】図４
2006025171.tif 000002
【特許請求の範囲】
【請求項１】
呼制御プロトコルにより確立したメディアセッションで画像データを送信する画像データ送信手段と、送信すべきテキストデータを指定するテキストデータ指定手段と、指定されたテキストデータを前記呼制御プロトコルのメソッドにより送信するテキストデータ送信手段と、を備えることを特徴とするファクシミリ装置。
【請求項２】
前記テキストデータ送信手段が行うテキストデータの送信は、前記メディアセッションが確立されている間に行われるものであることを特徴とする請求項１記載のファクシミリ装置。
【請求項３】
複数のテキストデータを予め記憶する記憶手段を更に備え、
前記テキストデータ指定手段は、前記記憶手段が記憶する複数のテキストデータから選択されたものを前記送信すべきテキストデータとして指定するものであることを特徴とする請求項１又は２記載のファクシミリ装置。
【請求項４】
宛先情報とテキストデータを対応付けて記憶する記憶手段を更に備え、
前記テキストデータ指定手段は、通信相手先の宛先情報に対応付けて前記記憶手段に記憶されているテキストデータを前記送信すべきテキストデータとして指定するものであることを特徴とする請求項１又は２記載のファクシミリ装置。
【請求項５】
送信する画像データの種別とテキストデータを対応付けて記憶する記憶手段と、送信する画像データの種別を指定する種別指定手段と、を更に備え、
前記テキストデータ指定手段は、前記種別指定手段により指定された種別に対応付けて前記記憶手段に記憶されているテキストデータを前記送信すべきテキストデータとして指定するものであることを特徴とする請求項１又は２記載のファクシミリ装置。
【発明の詳細な説明】
【技術分野】
【０００１】
本発明は、ＳＩＰ（Session  Initiation  Protocol）等の呼制御プロトコルを利用して、画像データ及びテキストデータの送受信を行うファクシミリ装置に関する。
【背景技術】
【０００２】
近年、ＩＰ電話通信、電子メール通信など、ＩＰ網を通じて種々のデータ通信を行う通信装置が普及しており、音声データと画像データの両方についてデータ通信を行うファクシミリ装置も提案されている。例えば、特許文献１に開示されているように、ＩＰ電話通信機能とＩＴＵ−Ｔ勧告Ｔ．３８に準拠したＩＰファクシミリ通信機能を備え、ＩＰ電話通信とＩＰファクシミリ通信による送受信を同時に行うことができるファクシミリ装置がある。
【特許文献１】特開２００２−１０１２５６号公報
【発明の開示】
【発明が解決しようとする課題】
【０００３】
ところが、特許文献１に係るファクシミリ装置を含めた従来のファクシミリ装置は、相手先と画像データを送受信しながら、ユーザにより任意に指定されたテキストデータを送受信することができなかった。
【０００４】
本発明は、かかる課題に鑑みてなされたものであり、相手先に画像データを送信しながら、ユーザが任意に指定したテキストデータを送信することができるファクシミリ装置を提供することを目的とする。
【課題を解決するための手段】
【０００５】
請求項１記載のファクシミリ装置は、呼制御プロトコルにより確立したメディアセッションで画像データを送信する画像データ送信手段と、送信すべきテキストデータを指定するテキストデータ指定手段と、指定されたテキストデータを前記呼制御プロトコルのメソッドにより送信するテキストデータ送信手段と、を備えることを特徴としている。
【０００６】
請求項２記載のファクシミリ装置は、請求項１記載のファクシミリ装置において、前記テキストデータ送信手段が行うテキストデータの送信は、前記メディアセッションが確立されている間に行われるものであることを特徴としている。
【０００７】
請求項３記載のファクシミリ装置は、請求項１又は２記載のファクシミリ装置において、複数のテキストデータを予め記憶する記憶手段を更に備え、前記テキストデータ指定手段は、前記記憶手段が記憶する複数のテキストデータから選択されたものを前記送信すべきテキストデータとして指定するものであることを特徴としている。
【０００８】
請求項４記載のファクシミリ装置は、請求項１記載のファクシミリ装置において、宛先情報とテキストデータを対応付けて記憶する記憶手段を更に備え、前記テキストデータ指定手段は、通信相手先の宛先情報に対応付けて前記記憶手段に記憶されているテキストデータを前記送信すべきテキストデータとして指定するものであることを特徴としている。
【０００９】
請求項５記載のファクシミリ装置は、請求項１記載のファクシミリ装置において、送信する画像データの種別とテキストデータを対応付けて記憶する記憶手段と、送信する画像データの種別を指定する種別指定手段と、を更に備え、前記テキストデータ指定手段は、前記種別指定手段により指定された種別に対応付けて前記記憶手段に記憶されているテキストデータを前記送信すべきテキストデータとして指定するものであることを特徴としている。
【発明の効果】
【００１０】
請求項１記載のファクシミリ装置によれば、原稿の画像データを送信しながら、画像データの送信とは別個独立したタイミングでユーザが指定した任意のテキストデータを相手先へ送信することができる。ＳＭＴＰを利用して画像データを送信するインターネットファクシミリ装置などでは、原稿の画像データとテキストデータが１つの纏まったファイルとなって送信されるため、原稿の画像データの送信とテキストデータの送信を別個独立して行うことはできなかったが、本発明によればそれが可能となる。これにより、送信者は原稿を送信しながら或いは原稿の送信に前後して相手先のユーザ又はファクシミリ装置に対して意図する任意の情報を伝達することができる。また、従来のハンドセット付きＧ３ファクシミリ装置などでは、原稿の画像データを送信した後、切換操作を行って相手先と原稿の内容について通話することができたが、通話で相手に説明し難い情報、例えば漢字の形態、メールアドレスなど、を簡単に相手先へ伝えることができなかったが、本発明によればそのような情報を簡単且つ迅速に相手先へ伝えることができる。
【００１１】
請求項２記載のファクシミリ装置によれば、メディアセッションが確立されている間にテキストデータが送信されるので、これらを受信するファクシミリ装置は、テキストデータと画像データとを関連付けて処理することができる。
【００１２】
請求項３記載のファクシミリ装置によれば、ユーザは、送信するテキストデータを、選択操作によって指定することができるので、煩わしい文字等の入力操作を行う必要がない。また、頻繁に利用する特定のテキストデータを繰返し指定する場合に利便性が向上する。
【００１３】
請求項４記載のファクシミリ装置は、送信するテキストデータの内容が宛先毎にある程度限られているような場合に便利である。
【００１４】
請求項５記載のファクシミリ装置は、送信するテキストデータの内容が送信する原稿の種別毎にある程度限られているような場合に便利である。
【発明を実施するための最良の形態】
【００１５】
以下本発明の実施の形態に係るファクシミリ装置として、呼制御プロトコルを利用して原稿の画像データを送信するＩＰファクシミリ通信機能、Ｇ３ファクシミリ通信機能、クライアント装置からの要求に応じて前記各種のファクシミリ通信を行うファクシミリサーバ機能等を備える複合機型のファクシミリ装置を例に挙げて説明する。
【００１６】
図１にファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース１３を備え、各部２乃至１３はバス１４によって接続されている。
【００１７】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、短縮番号やワンタッチキーに対応付けられた宛先ファクシミリ番号、宛先ＩＰ電話番号等を格納する電話帳４ａが記憶されている。さらに、宛先ＩＰ電話番号（宛先情報）や送信する原稿の種別（送信する画像データの種別）と対応付けてテキストデータが登録されている。例えば、図２に示すように、宛先ＩＰ電話番号ごとにテキストデータを登録（記憶）する第１テーブル４ｂ、図３に示すように、送信する原稿の種別ごとにテキストデータを登録（記憶）する第２テーブル４ｃがＲＡＭ４に形成されている。なお、テーブル４ｂ、４ｃの「テキストデータ」欄に示す「メッセージＡ」、「メッセージＢ」等は、ユーザが任意に登録したテキストデータを意味する。
【００１８】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３ファクシミリ送受信時にモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化し、また、受信した画像データ等を復号する。
【００１９】
読取部９は、原稿の画像データを読取るものであり、例えば、ＣＣＤカラーラインセンサ、Ａ／Ｄコンバータ、画像処理回路等で構成される。記録部１０は、給紙カセットから記録紙を取り出して、受信画像データ、読取画像データ等を記録紙上に記録する。表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、スタートキー、文字入力キー、ファンクションキーなど各種の操作キーを具備し、ユーザによる各種の操作は、この操作部７において行われる。
【００２０】
ＬＡＮインタフェース１３は、ファクシミリ装置１とＬＡＮ（ローカルエリアネットワーク）１６とを接続するインターフェースであり、これを通じてファクシミリ装置１は、同じくＬＡＮ１６に接続されたクライアントＰＣ、ルータ１９等と通信を行う。更にはルータ１９を通じてＩＰ網１７上の自装置１と同様のファクシミリ装置１８とＳＩＰを利用したＩＰファクシミリ通信を行う。
【００２１】
上記構成を備えるファクシミリ装置１は、ＴＣＰ／ＩＰ、ＳＩＰ、ＲＴＰ（Real-time  Transport  Protocol）、ＳＤＰ（Session  Description  Protocol）などを実装して、ＳＩＰによりメディアセッションを確立した上で、例えばＲＴＰにより原稿の画像データを相手先と送受信する。また、ＳＩＰメソッド「ＭＥＳＳＡＧＥ」を使用して相手先とテキストデータの送受信を行う機能をも備える。画像データの送受信を行うための通信プロトコルは、ＲＴＰに限定されず、これに代えてＳＭＴＰ、ＨＴＴＰ等を採用してもよい。
【００２２】
次に、上記構成及び通信機能を備えるファクシミリ装置１が自装置１と同様の構成及び通信機能を備えるファクシミリ装置とＩＰファクシミリ通信により画像データ及びテキストデータを送信する際の処理動作について、図４に示すシーケンス図並びに図５及び図６に示すフローチャートに基づいて説明する。なお、これらの図に基づいて説明するファクシミリ装置１の処理動作は、それぞれ、ＲＯＭ３に格納された制御プログラムに基づいて制御手段であるＣＰＵ２が発行する命令に従って実行される。以下説明の便宜のため、発呼側となるファクシミリ装置１を送信機１Ａ、被呼側となるファクシミリ装置１を受信機１Ｂと称して説明する。
【００２３】
まず、ＩＰファクシミリ通信により送信機１Ａと受信機１Ｂの間で画像データ及びテキストデータが送受信される際の通信手順を図４のシーケンス図に基づいて説明する。送信機１Ａにおいて、送信操作がなされると、送信機１Ａと受信機１Ｂの間で、図示するようなメディアセッションを確立するための呼制御セッションが形成される。すなわち、送信機１Ａは、ＳＩＰサーバ２０に対し受信機１ＢのＩＰ電話番号を指定した、セッション参加リクエスト「ＩＮＶＩＴＥ」により受信機１Ｂの呼出を要求する（Ｔ１）。「ＩＮＶＩＴＥ」を受けたＳＩＰサーバ２０は、送信機１Ａから指定されたＩＰ電話番号に対応するＩＰアドレスを、ＩＰ電話番号とＩＰアドレスの対応付け情報を持つロケーションサーバ（不図示）に問い合わせて、取得した受信機１ＢのＩＰアドレスに対して、送信機１Ａから受けた「ＩＮＶＩＴＥ」を送出することにより呼び出しを行う。ＳＩＰサーバ２０の呼出しに対して受信機１Ｂが応答すると、受信機１Ｂは、「ＩＮＶＩＴＥ」を受信し、ＳＩＰサーバ２０に対して成功応答コード「２００」を送出する（Ｒ１）。前記成功応答コード「２００」を受け取った送信機１Ａは、成功応答コード「２００」を受け取ったことを示す情報「ＡＣＫ」をＳＩＰサーバ２０を介して受信機１Ｂに送信する（Ｔ２）。その後、送信機１Ａと受信機１Ｂとの間に、メディアセッションが確立され、送信機から受信機１Ｂへ画像データが送信される。
【００２４】
ユーザにより指定されたテキストデータは（テキストデータの指定については後述する。）、メディアセッションが確立されている間、メディアセッションにおける画像データの送信処理と別個独立したタイミングでＳＩＰメソッド「ＭＥＳＳＡＧＥ」によって受信機１Ｂへ送信される（Ｔ３）。すなわち、ユーザにより指定されたテキストデータは、画像データの送信処理と同時に、或いは、前記画像データの送信処理に前後して、ＳＩＰメソッド「ＭＥＳＳＡＧＥ」によって受信機１Ｂへ送信される。なお、ＳＩＰメソッドは、指定された任意のテキストデータを相手先へ送信することができるものであれば、これに限定されず、その他のメソッドを使用してもよい。
【００２５】
受信機１Ｂは、送信機１Ａから受信した画像データ、テキストデータに対して、それぞれ所定の処理を施す。例えば、受信画像データに対しては、印刷処理、転送処理、画面表示処理等を行い、受信テキストデータに対しては、印刷処理、画面表示処理等を行う。また、受信機１Ｂにおいて、予めテキストデータと特定の処理動作を対応付けて記憶しておき、受信したテキストデータをコマンドとみなして対応する処理動作を実行するようにしてもよい。
【００２６】
送信機１Ａから受信機１Ｂへの画像データ及びテキストデータの送信処理が完了すると、送信機１Ａからセッションの終了を要求する「ＢＹＥ」がＳＩＰサーバ２０を介して受信機１Ｂへ送信され（Ｔ４）、受信機１Ｂが、成功応答コード「２００」をＳＩＰサーバ２０を介して送信機１Ａへ送信した後（Ｒ３）、通信が切断される。
【００２７】
次に、送信機１Ａの上記処理動作について、図５及び図６に示すフローチャートに基づいて更に詳細に説明する。
【００２８】
送信機１Ａにおいて、宛先電話番号（宛先情報）が、直接入力指定され、あるいは、短縮・ワンタッチ機能を利用して指定されると（Ｓ１）、指定された宛先電話番号からＩＰファクシミリ送信を行うか、Ｇ３ファクシミリ送信を行うかが判断される（Ｓ２）。該判断は、例えば電話番号の特定の桁に基づいて行われる。
【００２９】
Ｇ３ファクシミリ送信を行うと判断した場合は（Ｓ２：ＮＯ）、送信開始操作（スタートキーの押下など）があった後（Ｓ３：ＹＥＳ）、原稿の画像データをＧ３ファクシミリ通信により指定された電話番号の相手先装置へ送信する（Ｓ４）。
【００３０】
ＩＰファクシミリ送信を行うと判断した場合は（Ｓ２：ＹＥＳ）、テキストデータを送信するか否かの指示をユーザに求めるための処理動作を実行する。例えば「テキストデータも送信しますか？」等の問合せ表示を行うとともに、その問合せ表示に対する肯定／否定指示操作（例えばＹ／Ｎの操作部１２からの入力）を受付ける。そして、肯定指示操作が行われたことによりテキストデータも送信すると判断した場合に（Ｓ５：ＹＥＳ）、ユーザの所定操作によりテキストデータが指定される（Ｓ６）。
【００３１】
ユーザによるテキストデータの指定は、前記Ｓ１で指定されたＩＰ電話番号に対応付けて第１テーブル４ｂに登録されたテキストデータからの選択、原稿の種別に対応付けて第２テーブル４ｃに登録されたテキストデータからの選択、又はユーザが直接文字等を入力操作することにより行われる。より具体的には、送信機１Ａは、前記Ｓ５で肯定判断をした後、例えば図７に示すような、テキストデータの指定方式を選択するための画面２２を表示部１１に表示する（Ｓ１０１）。該画面２２においては、「ＩＰ電話番号に対応付けて登録したテキストデータから選択する。」、「原稿種別に対応付けて登録したテキストデータから選択する。」、「直接入力する。」等の選択可能な項目が表示される。所定操作により何れかの項目が選択されると、それぞれ対応する画面２３、２４、２５が表示部１１に表示される。
【００３２】
「ＩＰ電話番号に対応付けて登録したテキストデータから選択する。」と表示された項目が選択されると（Ｓ１０２：宛先対応）、第１テーブル４ｂにおいて前記Ｓ１で指定されたＩＰ電話番号に対応付けて記憶されているテキストデータを選択可能に表示するテキストデータ選択画面２３が表示部１１に表示される（Ｓ１０３）。該画面２３において表示されたテキストデータの何れかが所定操作により選択されると、その選択結果が、後にテキストデータが送信されるまで、ＲＡＭ４に記憶される（Ｓ１０４）。
【００３３】
「原稿種別に対応付けて登録したテキストデータから選択する。」と表示された項目が選択されると（Ｓ１０２：原稿種別対応）、第２テーブル４ｃに登録されている原稿種別を選択可能に表示する原稿種別選択画面２４が表示部１１に表示される（Ｓ１０５）。該画面２４において表示された原稿種別の何れかが所定操作により選択されると、その選択結果が、後にテキストデータが送信されるまで、ＲＡＭ４に記憶される（Ｓ１０６）。
【００３４】
「直接入力する。」と表示された項目が選択されると（Ｓ１０２：直接入力）、例えば図示するようなテキストデータの入力画面２５を表示部１１に表示し（Ｓ１０７）、操作部１１のキー操作等によりテキストデータが直接入力操作された場合に、その入力されたテキストデータが後に送信されるまで記憶される（Ｓ１０８）。
【００３５】
前記Ｓ６の処理動作を実行した後又は前記Ｓ５において否定判断した後、送信開始指示操作（スタートキーの押下など）がなされると（Ｓ７）、送信機１Ａは、受信機１Ｂとの間で前記Ｔ１、Ｔ２等の呼制御セッションを形成して、メディアセッションを確立した上で（Ｓ８）、原稿の画像データの送信処理を行う（Ｓ９）。ここで送信される原稿の画像データは、読取部９によって読取られた原稿の画像データ、クライアントＰＣからファクシミリ送信命令とともに受け取った画像データ、予め自装置１に蓄積された画像データ等である。
【００３６】
そして、前記Ｓ５で肯定判断をした場合は（Ｓ１０：ＹＥＳ）、前記Ｓ１０４、Ｓ１０６又はＳ１０８において記憶した選択結果又は入力されたテキストデータに基づいて、指定された送信すべきテキストデータを読み出す。すなわち、Ｓ１０４の処理動作を実行した場合は、選択された宛先ＩＰ電話番号に対応付けられたテキストデータから選択されたものを、指定されたテキストデータとして、ＳＩＰメソッド「ＭＥＳＳＡＧＥ」により受信機１Ｂへ送信する（Ｓ１１）。Ｓ１０６の処理動作を実行した場合は、選択された原稿種別（画像データの種別）に対応付けられたテキストデータを、指定されたテキストデータとして、ＳＩＰメソッド「ＭＥＳＳＡＧＥ」により受信機１Ｂへ送信する（Ｓ１１）。Ｓ１０８の処理動作を実行した場合は、入力されたテキストデータを指定されたテキストデータとして、ＳＩＰメソッド「ＭＥＳＳＡＧＥ」により受信機１Ｂへ送信する（Ｓ１１）。その後、セッション終了を要求する「ＢＹＥ」を送出して受信機１Ｂとの間の通信を切断する。一方、前記Ｓ５で否定判断をした場合は（Ｓ１０：ＮＯ）、前記Ｓ１１の処理動作を行わずに「ＢＹＥ」を送出して通信を切断する（Ｔ４）。
【００３７】
なお、本実施の形態においては、Ｓ９の画像データの送信処理を行った後、Ｓ１１のテキストデータの送信処理を行っているが、Ｓ９の画像データの送信処理を行う前に、Ｓ１０及びＳ１１の処理動作を行って、テキストデータの送信処理を行うようにしてもよい。また、Ｓ９の画像データを送信処理をしながら、Ｓ１０及びＳ１１の処理動作を行って、テキストデータを送信するようにしてもよい。
【００３８】
また、本実施の形態においては、テキストデータを宛先ＩＰ電話番号や原稿種別と対応させて記憶しているが、テキストデータを他の情報と対応付けずに独立した形でＲＡＭ４の所定領域に複数登録しておき、前記Ｓ６において、登録されたそれらのテキストデータを選択可能に表示部１１に表示し、選択されたものを指定された送信すべきテキストデータとして前記Ｓ１１において送信するようにしてもよい。
【産業上の利用可能性】
【００３９】
本発明は、例えば、ＳＩＰにより確立したメディアセッションで画像データを送信するファクシミリ装置に適用することができる。
【図面の簡単な説明】
【００４０】
【図１】本発明の実施の形態に係るファクシミリ装置の構成例等を示した図である。
【図２】宛先ＩＰ電話番号（宛先情報）とテキストデータを対応付けて登録したテーブルの一例を示す図である。
【図３】原稿種別とテキストデータを対応付けて登録したテーブルの一例を示す図である。
【図４】本発明の実施の形態に係るファクシミリ装置同士がＩＰファクシミリ通信を実行する際に形成する通信手順の概略を示したシーケンス図である。
【図５】本実施の形態に係るファクシミリ装置がＩＰファクシミリ送信又はＧ３ファクシミリ送信する際に実行する処理動作を示したフローチャートである。
【図６】テキストデータの指定が行われる際に実行される発呼側ファクシミリ装置の処理動作を示したフローチャートである。
【図７】テキストデータの指定が行われる際に発呼側ファクシミリ装置において表示される表示画面の具体例を示した図である。
【符号の説明】
【００４１】
１、１Ａ、１Ｂ    ファクシミリ装置
２    ＣＰＵ
３    ＲＯＭ
４    ＲＡＭ
４ｂ    宛先情報とテキストデータを対応付けて記憶する第１テーブル
４ｃ    原稿種別とテキストデータを対応付けて記憶する第２テーブル
２０  ＳＩＰサーバ
２３    テキストデータの選択指定画面
２４    原稿種別の選択指定画面
２５    テキストデータの入力画面
【図１】
2006025171.tif 000003
【図２】
2006025171.tif 000004
【図３】
2006025171.tif 000005
【図４】
2006025171.tif 000006
【図５】
2006025171.tif 000007
【図６】
2006025171.tif 000008
【図７】
2006025171.tif 000009